(57)【要約】  照明付き鏡（１）は、後方からの光を透過させるハーフミラー部（５）を少なくとも一部に有する鏡面体（１７）と、鏡面体（１７）の前方に向けて光を照射する左右一対の照明部（１０）とを備える。左右一対の照明部（１０）は、上下方向に細長いライン状であり、ハーフミラー部（５）の後方に配設されている。
2016181654.tif 000002
【特許請求の範囲】
【請求項１】
後方からの光を透過させるハーフミラー部を少なくとも一部に有する鏡面体と、
前記鏡面体の前方に向けて光を照射する左右一対の照明部とを備え、
前記左右一対の照明部は、上下方向に細長いライン状であり、前記ハーフミラー部の後方に配設されている照明付き鏡。
【請求項２】
前記鏡面体は、さらに、前記ハーフミラー部より透過率の低いミラー部を有する請求項１に記載の照明付き鏡。
【請求項３】
前記照明部は、横方向の長さが２０ｍｍ以下で、上下方向の長さが４００ｍｍ以上のライン形状である請求項１または請求項２に記載の照明付き鏡。
【請求項４】
前記照明部は、前記ハーフミラー部との間に所定の間隔を設けて配設されている請求項１〜３のいずれか１項に記載の照明付き鏡。
【請求項５】
前記照明部は、ＬＥＤ光源を複数有し、間隔をあけて前記複数のＬＥＤ光源を１列又は２列に並ばせてライン状に構成されている請求項１〜４のいずれか１項に記載の照明付き鏡。
【請求項６】
前記照明部は、導光部材と、前記導光部材の上端又は下端に配設された光源と、前記導光部材を収容するホルダーとを有し、
前記ホルダーは、前記導光部材を収容する面が黒色又は金属光沢面で形成されている請求項１〜４のいずれか１項に記載の照明付き鏡。
【請求項７】
前記照明部は、さらに、前記複数のＬＥＤ光源を装着した回路基板と、前記回路基板を収容するケースとを有し、
前記ケースは、前記回路基板を収容する面が黒色又は金属光沢面で形成されている請求項５に記載の照明付き鏡。
【請求項８】
前記鏡面体は、前記ハーフミラー部を左右方向の両端に有する請求項２に記載の照明付き鏡。
【請求項９】
前記ミラー部と前記ハーフミラー部とは別体であり、
前記ハーフミラー部は、前記照明部に取り付けられている請求項８に記載の照明付き鏡。
【請求項１０】
前記鏡面体は、全体がハーフミラー部で構成されている請求項１に記載の照明付き鏡。
【請求項１１】
前記鏡面体は、前記ミラーとして、第１ミラーと、前記第１ミラーの左側に配設された第２ミラーと、前記第１ミラーの右側に配設された第３ミラーとを有し、
前記ハーフミラー部は、前記第１ミラー、第２ミラー及び第３ミラーの少なくとも一つに設けられている請求項２に記載の照明付き鏡。
【請求項１２】
前記鏡面体は、前記ミラーとして、第１ミラーと、前記第１ミラーの左側に配設された第２ミラーと、前記第１ミラーの右側に配設された第３ミラーとを有し、
前記ハーフミラー部は、前記第１ミラーと前記第２ミラーとの間及び前記第１ミラーと前記第３ミラーとの間に配設されている請求項２に記載の照明付き鏡。
【請求項１３】
請求項１〜１２のいずれか１項に記載の照明付き鏡と、前記照明付き鏡の下方に配設されたカウンターとを備え、前記カウンターはボウルを有する洗面化粧台。
【発明の詳細な説明】
【技術分野】
【０００１】
本発明は、照明付き鏡および洗面化粧台に関し、詳しくは、左右一対の照明装置を備える照明付き鏡および洗面化粧台に関する。
【背景技術】
【０００２】
従来、左右一対の照明装置を備える照明付き鏡が利用されている（例えば特許文献１参照）。
【先行技術文献】
【特許文献】
【０００３】
【特許文献１】特開２０１４−１４６１６号公報
【発明の概要】
【発明が解決しようとする課題】
【０００４】
このような照明付き鏡にあっては、照明装置から光が照射されないときに、鏡でない照明装置が目立ってしまい、意匠性を損なうおそれがあった。【０００５】
本発明は上記従来の問題点に鑑みて発明したものであって、意匠性に優れた照明付き鏡および洗面化粧台を提供することにある。
【課題を解決するための手段】
【０００６】
本発明に係る照明付き鏡は、後方からの光を透過させるハーフミラー部を少なくとも一部に有する鏡面体と、前記鏡面体の前方に向けて光を照射する左右一対の照明部とを備え、前記照明部は、上下方向に細長いライン状であり、前記ハーフミラー部の後方に配設されていることを特徴とする。【０００７】
本発明に係る洗面化粧台は、上記照明付き鏡と、照明付き鏡の下方に配設されたカウンターとを備え、カウンターはボウルを有することを特徴とする。
【発明の効果】
【０００８】
本発明の照明付き鏡および洗面化粧台にあっては、照明部から光が照射されないときに、ハーフミラー部は前方からの光を反射して背面に配設された照明部を隠す。そのため、照明部は鏡面体に隠れて目立ち難くなり、照明付き鏡および洗面化粧台は意匠性に優れる。
【図面の簡単な説明】
【０００９】
【図１】図１は第一実施形態の照明付き鏡を備えた洗面化粧台の斜視図である。
【図２】図２は第一実施形態の照明付き鏡を有するミラーキャビネットの水平断面図である。
【図３Ａ】図３Ａは図２のＡ部の拡大図である。
【図３Ｂ】図３Ｂは図３Ａの一部拡大図である。
【図４Ａ】図４Ａは第一実施形態の照明付き鏡における照明装置の一部の斜視図である。
【図４Ｂ】図４Ｂは第一実施形態の照明付き鏡における照明装置の一部の分解斜視図である。
【図５】図５は第二実施形態の照明付き鏡における照明装置の一部の水平断面図である。
【図６】図６は第三実施形態の照明付き鏡における照明装置の水平断面図である。
【図７】図７は第四実施形態の照明付き鏡における照明装置の水平断面図である。
【図８Ａ】図８Ａは第五実施形態の照明付き鏡の正面図である。
【図８Ｂ】図８Ｂは第五実施形態の照明付き鏡の水平断面図である。
【図９Ａ】図９Ａは第六実施形態のＬＥＤ光源の配列を示す図である。
【図９Ｂ】図９Ｂは第六実施形態の照明付き鏡の水平断面図である。
【図１０】図１０は第七実施形態の照明付き鏡の正面図である。
【図１１】図１１は第八実施形態の照明付き鏡の正面図である。
【図１２】図１２は第九実施形態の照明付き鏡の正面図である。
【図１３】図１３は第十実施形態の照明付き鏡の正面図である。
【図１４】図１４は第十一実施形態の照明付き鏡の正面図である。
【発明を実施するための形態】
【００１０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１１】
本発明の照明付き鏡の第一実施形態について、図１ないし図４Ｂに基づいて説明する。
【００１２】
図１は、第一実施形態の照明付き鏡１を備えた洗面化粧台６の斜視図である。図２は、第一実施形態の照明付き鏡１を有するミラーキャビネット７の水平断面図である。図３Ａは、図２のＡ部の拡大図である。図３Ｂは、図３Ａの一部拡大図である。図４Ａは、第一実施形態の照明付き鏡１における照明装置１８の一部の斜視図である。図４Ｂは、第一実施形態の照明付き鏡１における照明装置１８の一部の分解斜視図である。
【００１３】
図１および図２に示すように、第一実施形態の照明付き鏡１は、洗面化粧台６に備えられるミラーキャビネット７を構成する鏡であり、鏡面体１７と、鏡面体１７の前方に向けて光を照射する左右一対の照明部１０を備える。鏡面体１７は、第１ミラー１１と、第１ミラー１１の左側に配設された第２ミラー１２と、第１ミラーの右側に配設された第３ミラー１３と、第１ミラー１１と第２ミラー１２との間及び第１ミラー１１と第３ミラー１３との間に配設されたハーフミラー部５を有する。ハーフミラー部５は後方からの光を透過させる。第１ミラー１１、第２ミラー１２および第３ミラー１３は、ハーフミラー部５より透過率の低いミラー部の一例である。また、ハーフミラー部５は、照明部１０の出光部３２を覆うカバー４の一部である（図３Ａ、図３Ｂ参照）。
【００１４】
第１ミラー１１は、その鏡面の正面視における形状（単に鏡面形状という）は特に限定されない。第一実施形態では、図１に示すように、第１ミラー１１の鏡面の形状は、上下に長い矩形をしている。具体的には、上下方向の長さは６００ｍｍ〜９００ｍｍ、横方向の長さは３００ｍｍ〜６００ｍｍである。なお、第１ミラー１１の鏡面の形状は、正方形であってもよいし、一部または全部の角部が面取りされた矩形状または正方形状であってもよい。また、第１ミラー１１の鏡面の形状は、多角形状や端辺に曲線を有する形状であってもよいが、概ね矩形状をしていることが好ましい。
【００１５】
また、第１ミラー１１の鏡面は、第一実施形態では平面により構成されるが、一部に他の部分と異なる方向を向く部分があってもよい。ここで、図１、図２に示すように、第１ミラー１１の鏡面の主な部分が向く方向を前方Ｆとして定義する。すなわち、第１ミラー１１の鏡面において、設計上、使用者が自身の姿を映すと想定される中央部が向く方向を前方Ｆとする。第一実施形態のように第１ミラー１１の鏡面が平面である場合には、鏡面全体が前方Ｆを向く。そして、前方Ｆと反対の方向を後方Ｂとし、後方Ｂを向いたときの左右をそれぞれ左方Ｌおよび右方Ｒとする。
【００１６】
第２ミラー１２は、第１ミラー１１の横方向に並設されるものである。ここで、横方向とは、鉛直方向と交差する方向である。第一実施形態では、図１、図２に示すように、照明付き鏡１が横方向（特に水平方向）に並設される三個のミラーを有している。三個のミラーのうちの中央のミラーが第１ミラー１１となっており、左右の一方（左方Ｌ側）のミラーが第２ミラー１２となっている。さらに、三個のミラーのうちの左右の他方（右方Ｒ側）のミラーが第３ミラー１３となっている。つまり、照明付き鏡１は、第１ミラー１１をメインミラー、第２ミラー１２および第３ミラー１３をサイドミラーとした、３つの鏡面が面一となる３面鏡である。なお、第２ミラー１２と第３ミラー１３は、左右の位置が逆であってもよい。
【００１７】
なお、第一実施形態では、照明付き鏡１が横方向に並設される三個のミラーを有しているが、横方向に並設される四個以上のミラーを有してもよい。この場合、第４ミラー、第５ミラー、・・・（以降は省略、まとめて第４以降のミラーという）は、第１ミラー１１からみて第２ミラー１２または第３ミラー１３の外方に設けられる。
【００１８】
第２ミラー１２および第３ミラー１３は、鏡面形状は特に限定されない。第一実施形態では、第２ミラー１２および第３ミラー１３の鏡面形状は、第１ミラー１１と同様に正面視において上下に長い矩形をしている。なお、第２ミラー１２および第３ミラー１３の鏡面形状も、第１ミラー１１と同様に矩形状や正方形状や多角形状等でもよいが、概ね矩形状をしていることが好ましい。
【００１９】
また、第２ミラー１２および第３ミラー１３の鏡面形状は、第１ミラー１１の鏡面形状と異なってもよいし、同じであってもよい。また、第２ミラー１２および第３ミラー１３の鏡面形状が第１ミラー１１の鏡面形状と異なる場合でも、第２ミラー１２および第３ミラー１３の鏡面と第１ミラー１１の鏡面の上下長さが同じであることが好ましい。
【００２０】
また、第２ミラー１２および第３ミラー１３の鏡面は、第一実施形態では第１ミラー１１と同様に平面により構成されるが、一部に他の部分と異なる方向を向く部分があってもよい。そして、第２ミラー１２および第３ミラー１３の鏡面の主な部分が向く方向（鏡面が平面の場合は鏡面全体において同一方向）は、第一実施形態では第１ミラー１１と同様に前方Ｆである。なお、第２ミラー１２および第３ミラー１３の鏡面は、前方Ｆのみならず第１ミラー１１に対して様々な向きとなるように向きが可変に形成されてもよいし、前方Ｆを向かないものであってもよい。
【００２１】
また、上述した第２ミラー１２および第３ミラー１３についての説明は、第４以降のミラーを有するときにも同様に第４以降のミラーに適用される。
【００２２】
図２に示すように、鏡面体１７は、第１ミラー１１と、第２ミラー１２と、第３ミラー１３と、ハーフミラー部５を有する。そして、第１ミラー１１とハーフミラー部５とは別体である。ハーフミラー部５はカバー４に取り付けられている（図３Ａ、図３Ｂ、図４Ａ、図４Ｂ参照）。第１ミラー１１と第２ミラー１２は、所定の幅の隙間１４をあけて並設される。隙間１４にハーフミラー部５が配設される。第一実施形態では、照明付き鏡１は、図１に示すように、洗面化粧台６に設けられる。洗面化粧台６は、洗面キャビネット６０と、ミラーキャビネット７と、を備えている。
【００２３】
図１に示すように、洗面キャビネット６０は、側壁部６１および底壁部と、カウンター６２と、バックガード６３と、を備えている。側壁部６１および底壁部は、上方に開口する筐体状に組み合わされ、側壁部６１の一部に扉６４が設けられている。筐体状をした側壁部６１および底壁部の上端の開口に、カウンター６２が載置されて、筐体の内部に形成される空間に、洗面用具等の収納物や配管が収納される。照明付き鏡１の下方配設されたカウンター６２にはボウル６５が設けられている。カウンター６２の後端部には、上方に向かってバックガード６３が突設されている。バックガード６３には、シャワーやカランといった吐出口６６が設けられている。吐出口６６は、上記内部の空間に収納される配管を介して水道や給湯器等に接続されている。
【００２４】
図２に示すように、ミラーキャビネット７は、キャビネット本体７０と、扉８と、照明付き鏡１と、を備えている。
【００２５】
キャビネット本体７０は、図１、図２に示すように、天壁部７１と、一対の側壁部７２と、底壁部７３と、背壁部７４と、を備えている。キャビネット本体７０は、内部に仕切壁部７５を備え、仕切壁部７５によって内部空間が複数の収納空間７６に仕切られている。第一実施形態では、三つの収納空間７６が左右に並設されており、これらを仕切る二つの縦長の仕切壁部７５が、天壁部７１から底壁部７３に亘って設けられている。
【００２６】
図２に示すように、左側の収納空間７６の前方Ｆに左側の扉８２が設けられ、同様に、中央の収納空間７６の前方Ｆに中央の扉８１が設けられ、右側の収納空間７６の前方Ｆに右側の扉８３が設けられる。図２に示すように、第１ミラー１１は、中央の扉８１の前面に設けられ、第２ミラー１２は、左側の扉８２の前面に設けられ、第３ミラー１３は、右側の扉８３の前面に設けられる。左側の扉８２および中央の扉８１は間隔をあけて設けられ、その間に左側の仕切壁部７５が位置している。また、中央の扉８１および右側の扉８３は間隔をあけて設けられ、その間に右側の仕切壁部７５が位置している。なお、左側の扉８２および中央の扉８１の間隔と、中央の扉８１および右側の扉８３の間隔は、同じでもよいし異なってもよい。また、前記間隔は、上下位置によって異なってもよいし、同じであってもよい。また、キャビネット本体７０には、三つの収納空間７６が左右に併設されているが、隣り合う収納空間７６の仕切り壁が一部ないような場合であってもよい。
【００２７】
照明部１０は、第一実施形態では、図２に示すように、第１ミラー１１と第２ミラー１２との間に形成される隙間１４に設けられるものである。さらに、第１ミラー１１と第３ミラー１３との間に形成される隙間１４にも、照明部１０が設けられている。
【００２８】
なお、第４以降のミラーを有する場合も同様に、第４以降のミラーと、第２ミラー１２または第３ミラー１３または他の第４以降のミラーとの間に形成される隙間１４に照明部１０が設けられてもよい。また、第３ミラー１３が任意の構成であることから、第１ミラー１１と第３ミラー１３との間の隙間１４に設けられる照明部１０も任意の構成である。
【００２９】
第一実施形態では、図２に示すように、仕切壁部７５の前面は、天壁部７１の前面、側壁部７２の前面および底壁部７３の前面よりも後方Ｂに位置している。天壁部７１の前面、側壁部７２の前面および底壁部７３の前面は、前後方向において同じ位置に配置されている。そして、仕切壁部７５の前面に照明部１０が設けられる。
【００３０】
図４Ａおよび図４Ｂに示すように、照明装置１８は、照明部１０と、カバー４と、放熱板２２、放熱板カバー２５を有する。
【００３１】
図３Ａ、図３Ｂ、図４Ａおよび図４Ｂに示すように、照明部１０は、導光部材３と、導光部材３の上方端部に配設される一個の光源２０と、導光部材３を保持するホルダー３４を有するものである。
【００３２】
照明部１０は、前方Ｆに向けて光を照射するものである。そして、照明部１０は、上下方向に細長いライン状である。例えば、横方向の長さが２０ｍｍ以下であり、上下方向の長さが４００ｍｍ以上である。ハーフミラー部５も照明部１０と上下方向の長さ及び横方向の長さが略同一である。照明部１０をライン状としたことで、照明部１０を隠すハーフミラー部５もライン状とすることができ、ハーフミラー部５も目立たなくなる。
【００３３】
光源２０は、図４Ｂに示すように、例えばＬＥＤ（Ｌｉｇｈｔ  Ｅｍｉｔｔｉｎｇ  Ｄｉｏｄｅ、発光ダイオード）により構成される点光源である。光源２０は、第一実施形態ではＬＥＤであるが、特にＬＥＤに限定されない。光源２０は、回路基板２１の下面に実装されている。光源２０は、回路基板２１に一つだけ設けられているが、複数設けられていてもよい。
【００３４】
図４Ｂに示すように、回路基板２１には、放熱板２２が取り付けられている。放熱板２２は、回路基板２１の上面に接触した状態で取り付けられている。放熱板２２は、例えば、アルミニウム等の金属により構成されている。放熱板２２は、平面視矩形状の放熱部２３と、この放熱部２３の前端部の一部から前方Ｆに向かって突出した突出部２４とを備えている。突出部２４は、回路基板２１に熱的に接続される。光源２０が発光することで発生した熱は、回路基板２１を介して突出部２４に伝導して、突出部２４から放熱部２３に伝導し、放熱部２３は外気と熱交換を行う。これにより、光源２０から発生した熱は、放熱板２２より放熱される。
【００３５】
また、図４Ｂに示すように、放熱板２２には、放熱板カバー２５が取り付けられる。放熱板カバー２５は、下方に開口する箱状に形成されている。放熱板カバー２５の内部に、放熱板２２が嵌め込まれ、放熱板カバー２５は放熱板２２の上方および側方を覆っている。
【００３６】
放熱板カバー２５の下端は、放熱板２２の下面よりも下方に位置するように構成されている。これにより、放熱板２２に放熱板カバー２５が取り付けられた状態で、放熱板カバー２５は、設置面（つまり、ミラーキャビネット７の天壁部７１の上面）と放熱板２２の下面との間に隙間を形成し、放熱が促進される。なお、放熱板２２、放熱部２３、突出部２４、放熱板カバー２５は、任意の構成であり、なくても構わない。
【００３７】
照明部１０は、図３Ａおよび図３Ｂに示すように、透光性を有する導光部材３を備えている。導光部材３は、例えば、アクリル樹脂やポリカーボネート樹脂等の透明な樹脂により形成されるが、特に材質は限定されない。導光部材３は、その長手方向に沿う面の一部が出光部３２となり、出光部３２以外の表面の一部が光源２０からの光が入射する入光部となっている。第一実施形態では、導光部材３は上下方向を長手方向とし、長手方向に沿う面のうちの前面が出光部３２となり、長手方向の端部となる上端面が入光部となっているが、特に限定されない。
【００３８】
導光部材３の入光部から入射した光は、直進したり、導光部材３の長手方向に沿う面（出光部３２も含む）で反射して、導光部材３の出光部３２より出射するものである。第一実施形態では、導光部材３の長手方向に沿う面のうち出光部３２以外の一部（特に、出光部３２と対向する部分）に、光を拡散させる拡散部３３が設けられている。拡散部３３は、例えば、導光部材３の表面に、印刷や蒸着によって反射性の物質が設けられたり、微細な凹凸が設けられたり、あるいは、二色成形によって反射部分が設けられたりして形成されるが、形成方法は特に限定されない。
【００３９】
導光部材３には、図３Ｂに示すように、後方Ｂに向けて突出する突出部３１が設けられており、この突出部３１によりホルダー３４に保持される。ホルダー３４は、前方Ｆに開口する断面Ｃ字状に形成されており、導光部材３の後方Ｂに配置され、内部に導光部材３を収納して保持する。ホルダー３４は、図３Ｂに示すように、後部の内面（導光部材３を向く面３４３）に、前方Ｆに開口する保持溝３４０が設けられており、突出部３１がホルダー３４の保持溝３４０に嵌め込まれることで、導光部材３がホルダー３４に固定される。
【００４０】
第一実施形態では、ホルダー３４の導光部材３を向く面３４３に反射部を有している。面３４３は、導光部材３の入光部および出光部３２以外の略全面を覆うように位置しており、その面３４３の一部または全部に反射部を有している。反射部は、例えば、ホルダー３４がアルミニウム等の金属により形成されたり、面３４３に印刷や蒸着によって反射性の物質が設けられたり、面３４３にシート状のミラーが貼付されて設けられる。なお、反射部は他の方法により設けられてもよく、特に限定されない。このような反射部がホルダー３４に設けられることにより、導光部材３を透過した光が反射部で反射して再び導光部材３に入射して、出光部３２からの出光量が増加し、エネルギー効率がよい。
【００４１】
図３Ｂに示すように、ホルダー３４の前部には、カバー４が被嵌されてカバー４を保持するための保持部３４１が設けられている。保持部３４１は、外方に向けて突出する突起により構成されている。ホルダー３４の後部には、取付ベース３５に取り付けられるための取付部３４２が設けられている。取付部３４２は、外方に向けて突出する突起により構成されている。
【００４２】
取付ベース３５は、図３Ａに示すように、後片３５１と、この後片３５１の左右方向の両端から前方Ｆに向かって突出する側片３５２とを備え、前方Ｆに開口する断面Ｃ字状に形成されている。
【００４３】
取付ベース３５の側片３５２には、内方に向けて突出する突起３５３が設けられている。前方Ｆより取付ベース３５に挿入されたホルダー３４の取付部３４２が突起３５３を乗り越えて後方Ｂに位置し、ホルダー３４の前方Ｆへの抜け止めがなされる。
【００４４】
取付ベース３５の後片３５１には、仕切壁部７５に固定されるための固定部が設けられている。固定部は、例えば、固着具挿通孔により構成され、ビスや釘等の固着具３５４が固着具挿通孔を挿通して仕切壁部７５に打ち込まれることで、取付ベース３５が仕切壁部７５に固定される。
【００４５】
上記のような導光部材３、ホルダー３４および取付ベース３５により、照明部１０が構成されている。
【００４６】
カバー４は、図３Ａおよび図３Ｂに示すように、照明部１０の前方Ｆに設けられ、透光性を有するものである。カバー４は、例えば、アクリル樹脂やポリカーボネート樹脂等の透明な樹脂やガラスにより形成されるが、特に材質は限定されない。カバー４は、照明部１０の汚損や破損を抑制するものである。また、光拡散機能を有し、使用者が感じる眩しさを防ぐため、指向性の高い光を拡散性の高い光に変換するものである。カバー４は、図３Ｂに示すように、第一実施形態では、前片４１と、この前片４１の左右方向の両端から後方Ｂに向かって突出する側片４２とを備え、後方Ｂに開口する断面Ｃ字状に形成されているが、特に形状は限定されない。
【００４７】
カバー４の側片４２には、内方に向けて突出する突起４３が設けられている。前方Ｆよりホルダー３４に被嵌されたカバー４の突起４３がホルダー３４の保持部３４１を乗り越えて後方Ｂに位置し、カバー４の前方Ｆへの抜け止めがなされる。
【００４８】
そして、図３Ａおよび図３Ｂに示すように、カバー４は、ハーフミラー部５を有するものである。ハーフミラー部５は、到達した光のうちの一部が透過し、他の全部（または一部）が反射するものである。ハーフミラー部５は、例えば金属粒子が蒸着やメッキによりカバー４の表面にコーティングされて設けられてもよいし、カバー４と別体のハーフミラー機能を有するシート状のものがカバー４に貼付されて設けられてもよい。ここで利用されるハーフミラー部５は、例えば、前方の光に対する反射率が６０％以上、前方および後方からの光に対する透過率が４０％以下である。
【００４９】
ハーフミラー部５としては、既存の様々な形態のものが適宜利用可能であり、特に限定されない。ただし、ハーフミラー部５は、ミラー部である第１ミラー１１、第２ミラー１２および第３ミラー１３よりも前方からの光に対する反射率が高く、後方からの光に対する透過率が低い。
【００５０】
第一実施形態では、図３Ａおよび図３Ｂに示すように、ハーフミラー部５は、カバー４の前面に配設されている。さらに説明すると、ハーフミラー部５は、前片４１の前面と、側片４２の外面とに設けられているが、少なくとも前片４１の前面に設けられていればよく、側片４２の外面には設けられなくてもよい。
【００５１】
ハーフミラー部５の前片４１の前面は、図３Ａに示すように、第１ミラー１１の鏡面、第２ミラー１２の鏡面および第３ミラー１３の鏡面と、同一平面上に位置することが好ましい。また、図示しないが、カバー４の前片４１の後面に、微細な凹凸が設けられてもよい。
【００５２】
上記のようなハーフミラー部５を有するカバー４を備えた照明付き鏡１にあっては、前方Ｆからカバー４に入射しようとする光はハーフミラー部５で一部が反射する。このため、照明部１０より光を照射しないときには、前方Ｆに向かってカバー４を透過する光が殆どなく、照明付き鏡１の前方Ｆに位置する使用者には、カバー４が鏡のように見える。これにより、照明部１０より光を照射しないときでも、鏡でない構成（すなわちカバー４を構成する樹脂や照明部１０の内部）が目立ち難くなり、意匠性に優れたものとなる。
【００５３】
また、照明部１０をライン状としたことで、照明部１０を隠すハーフミラー部５もライン状とすることができる。ハーフミラー部５とハーフミラー部５よりも透過率の低いミラー部（第１ミラー１１、第２ミラー１２および第３ミラー１３）は少々見た目が異なるが、ハーフミラー部５をライン状とすることでハーフミラー部５が目立ち難くなる。
【００５４】
なお、このとき、ホルダー３４の導光部材３を収容する面、つまり、導光部材３を向く面３４３に反射部が形成されず、代わりに面３４３が黒く、もしくは金属光沢面で形成されていてもよい。照明部１０が照射していない時、外からの光がカバー４を透過した場合でも、ホルダー３４とハーフミラー部５が似たような色なので、ホルダー３４が目立たない。
【００５５】
また、照明部１０より光を照射しないときでも、カバー４が鏡と同様に機能するため、照明付き鏡１の全体の鏡面が広くとれる。特に、ハーフミラー部５の前面が、第１ミラー１１の鏡面、第２ミラー１２の鏡面および第３ミラー１３の鏡面とともに同一平面上に位置することで、一連の鏡として機能し、意匠性および鏡としての機能性が向上する。なお、図３Ａおよび図３Ｂに示す照明付き鏡１にあっては、ハーフミラー部５と、第１ミラー１１、第２ミラー１２および第３ミラー１３との間に間隔があいているが、この間隔がないかあるいは小さいほど好ましい。
【００５６】
また、ハーフミラー部５がカバー４の前面（すなわち前片４１の前面）に設けられることにより、ハーフミラー部５よりも前方Ｆにカバー４の構成部材が位置せず、照明部１０より光を照射しないときにカバー４の構成部材が前方Ｆより見え難くなる。
【００５７】
次に、第二実施形態の照明付き鏡について、図５に基づいて説明する。
【００５８】
図５は、第二実施形態の照明付き鏡１における照明装置１８の一部の水平断面図である。なお、以下の説明では、上述した第一実施形態と異なる部分について説明し、その他の部分については第一実施形態と同じであって説明が重複するため説明を省略する。
【００５９】
第二実施形態では、ハーフミラー部５が、カバー４の後面（すなわち前片４１の後面４１０）に設けられるもので、この点でのみ第一実施形態と異なっており、その他の点では第一実施形態と同じである。なお、図５に示す照明部１０にあっては、ハーフミラー部５が前片４１の後面４１０と側片４２の内面とに設けられているが、少なくとも前片４１の後面４１０に設けられていればよく、側片４２の内面には設けられなくてもよい。
【００６０】
ハーフミラー部５がカバー４の後面（前片４１の後面４１０）に設けられることにより、ハーフミラー部５よりも前方Ｆにカバー４の構成部材が位置することとなる。これにより、照明部１０より光を照射しないときにカバー４の構成部材の奥（後方Ｂ）にハーフミラー部５が見えて、奥行き感が得られる。また、ハーフミラー部５が損傷するのが抑えられる。
【００６１】
次に、第三実施形態の照明付き鏡について、図６に基づいて説明する。
【００６２】
図６は、第三実施形態の照明付き鏡１における照明装置１８の水平断面図である。なお、以下の説明では、上述した第一実施形態と異なる部分について説明し、その他の部分については第一実施形態と同じであって説明が重複するため説明を省略する。
【００６３】
第三実施形態では、照明部１０が第一実施形態と異なっており、その他の点では第一実施形態と同じである。
【００６４】
第三実施形態では、照明部１０は、光源２０を備えるが、導光部材３を備えていない。
【００６５】
光源２０は、例えばＬＥＤ等の点光源であり、上下を長手方向とする回路基板２１に、上下に複数の光源２０が間隔をあけて並設されている。光源２０を有する回路基板２１は、ケース２６に収納されている。なお、光源２０は、ＬＥＤではなく、白熱球やハロゲンランプ等、特に限定されない。
【００６６】
ケース２６は、後片と、この後片の左右方向の両端から前方Ｆに向かって突出する側片とを備え、前方Ｆに開口する断面Ｃ字状に形成されている。また、ケース２６は、回路基板２１を収容する面が黒色又は金属光沢面で形成されている。
【００６７】
ケース２６の後片には、仕切壁部７５に固定されるための固定部が設けられている。固定部は、例えば、固着具挿通孔により構成され、ビスや釘等の固着具（不図示）が固着具挿通孔を挿通して仕切壁部７５に打ち込まれることで、ケース２６が仕切壁部７５に固定される。
【００６８】
上記のような光源２０、回路基板２１およびケース２６により、照明部１０が構成されている。
【００６９】
なお、第一実施形態における放熱板２２や放熱部２３や放熱板カバー２５といった部材が設けられてもよいし、なくても構わない。
【００７０】
第三実施形態では、第一実施形態や第二実施形態におけるような導光部材３が不要であるため、部材削減が可能となり、省スペース化、低コスト化が図られる。
【００７１】
また、第三実施形態では、カバー４が拡散部を有することが好ましい。拡散部は、カバー４の表面（前片４１の後面４１０）に、シボ加工等により凹凸が形成されたり、半透明（例えばすりガラス状）となる樹脂によりカバー４が形成されることで、カバー４に設けられる。拡散部の色は、白色が好ましいが、特に限定されない。これにより、複数の光源２０が並設されていても、光源２０からの光が点状ではなく連続した線状に見える。
【００７２】
また、ハーフミラー部５がカバー４の前面（すなわち前片４１の前面）に設けられているため、照明部１０より光を照射しないときにカバー４の構成部材が前方Ｆより見え難くなる。
【００７３】
また、図示しないが、第三実施形態において、ハーフミラー部５がカバー４の前面に設けられるのに代えて、ハーフミラー部５がカバー４の前片４１の後面４１０に設けられてもよい。これにより、照明部１０より光を照射しないときにカバー４の奥（後方Ｂ）にハーフミラー部５が見えて、奥行き感が得られる。また、ハーフミラー部５が損傷するのが抑えられる。
【００７４】
次に、第四実施形態の照明付き鏡について、図７に基づいて説明する。
【００７５】
図７は、第四実施形態の照明付き鏡１における照明装置１８の水平断面図である。なお、以下の説明では、上述した第三実施形態と異なる部分について説明し、その他の部分については第三実施形態と同じであって説明が重複するため説明を省略する。
【００７６】
第四実施形態では、照明部１０が拡散カバー２７を備える点で第三実施形態と異なっているが、その他の点では第三実施形態と同じである。
【００７７】
拡散カバー２７は、光源２０とカバー４との間に設けられる。拡散カバー２７は、表面に、シボ加工等により凹凸が形成されたり、半透明（例えばすりガラス状）となる樹脂により形成される。拡散カバー２７の色は、白色が好ましいが、特に限定されない。これにより、複数の光源２０が並設されていても、光源２０からの光が点状ではなく連続した線状に見える。
【００７８】
なお、第四実施形態では、拡散カバー２７を備えているため、カバー４が拡散部を有しなくても上述した効果が得られる。
【００７９】
また、図示しないが、第四実施形態において、ハーフミラー部５がカバー４の前面に設けられるのに代えて、ハーフミラー部５がカバー４の後面４１０に設けられてもよい。これにより、照明部１０より光を照射しないときにカバー４の奥（後方Ｂ）にハーフミラー部５が見えて、奥行き感が得られる。また、ハーフミラー部５が損傷するのが抑えられる。
【００８０】
次に、照明付き鏡の第五実施形態について、図８Ａおよび図８Ｂに基づいて説明する。
【００８１】
図８Ａは、第五実施形態の照明付き鏡１の正面図である。図８Ｂは、第五実施形態の照明付き鏡１の水平断面図である。第五実施形態の照明付き鏡１は、鏡面体１７と照明部１０とを備えた一面鏡である。鏡面体１７は、第一実施形態ないし第四実施形態のいずれかと同様の第１ミラー１１と第１ミラー１１の左右方向の両端に設けられたハーフミラー部５である。
【００８２】
第１ミラー１１とハーフミラー部５とは別体であるが、隙間がないように併設されている。また、前方を面一として、一枚の鏡面にしている。図８Ａおよび図８Ｂに示す照明付き鏡１では、第１ミラー１１の左右方向の両端部にそれぞれ、上下に長いハーフミラー部５が設けられ、その後方Ｂに同じく上下に長い照明部１０が配設されている。
【００８３】
照明部１０は、ハーフミラー部５よりも小さくライン状である。照明付き鏡本体９１は、前面を開口した箱体である。箱体の底面に照明部１０は設置されている。照明部１０は、導光部材３と、カバー４と、ホルダー３４とを有する。カバー４は第一実施形態ないし第四実施形態と異なり、ハーフミラー部５を有さない。そして、箱体の開口を閉じる様に、照明付き鏡本体９１の前面に鏡面体１７が装着されている。
【００８４】
照明部１０はハーフミラー部５の後ろに位置し、前方から見るとハーフミラー部５に全体が隠れる。そして、第１ミラー１１の鏡面が向く前方Ｆに向けて光を照射するもので、第一実施形態ないし第四実施形態のいずれかの照明部１０と同様である。また、照明部１０をライン状としたことで、ハーフミラー部５を細長くして、鏡面体１７の大きさを変えずとも第１ミラー１１の横方向の長さを広くすることができる。
【００８５】
また、照明部１０とハーフミラー部５との間に所定の間隔Ｋがあり、具体的には５ｍｍ以上としている。このような間隔を設けることで、照明部１０が消灯している時、外光がハーフミラー部５を透過しても照明部１０まで光が届き難くい。なお、照明部１０は、照明付き鏡本体９１と鏡面体１７の中にあるので、カバー４がなくてもよい。
【００８６】
次に、照明付き鏡１の第六実施形態について、図９Ａおよび図９Ｂに基づいて説明する。
【００８７】
図９Ａは、第六実施形態のＬＥＤの光源２０の配列を示す図である。図９Ｂは、第六実施形態の照明付き鏡１の水平断面図である。なお、以下の説明では、上述した第五実施形態と異なる部分について説明し、その他の部分については第五実施形態と同じであって説明が重複するため説明を省略する。
【００８８】
なお、図９Ａは、ＬＥＤの光源２０の配列を示すために、鏡面体１７とカバー４を外した照明付き鏡１の正面図を示している。
【００８９】
第六実施形態では、照明部１０は、ＬＥＤの光源２０を複数有し、複数の光源２０は間隔をあけて１列に並んだライン状である。ＬＥＤの光源２０を固定した回路基板２１は、断面Ｃ字状のケース２６の底面に固定される。このようにして、回路基板２１はケース２６に収容される。なお、照明部１０がライン状であるとは、ＬＥＤ光源が２列に並んだものも含まれる。
【００９０】
次に、照明付き鏡１の第七実施形態について、図１０に基づいて説明する。
【００９１】
図１０は、第七実施形態の照明付き鏡１の正面図である。第七実施の形態では、ハーフミラー部５を鏡面体１７の横（左右）方向の端部より離れ、少し内側の位置に浮島のような形状で設けたものである。
【００９２】
このような鏡面体１７とするために、鏡面体１７は、一枚のガラス部材と、このガラス部材の後面に蒸着等で形成したミラー膜と、ガラス部材の後面に蒸着等で形成したハーフミラー膜を有する。
【００９３】
このように、ミラー部（第１ミラー１１）とハーフミラー部５とが別体ではなく、一体に形成されているので、ミラー部（第１ミラー１１）とハーフミラー部５との連続性および一体性が確保され、意匠性に優れる。
【００９４】
次に、照明付き鏡の第八実施形態について、図１１に基づいて説明する。
【００９５】
図１１は、第八実施形態の照明付き鏡１の正面図である。第八実施形態では、鏡面体１７は全面をハーフミラー部５とする。つまり、ミラー部は設けられていない。このような鏡面体１７を用いることにより、鏡面体１７の中に異なる種類のミラーが存在することが回避されるために、意匠性に優れる。
【００９６】
次に、照明付き鏡の第九実施形態について、図１２に基づいて説明する。
【００９７】
図１２は、第九実施形態の照明付き鏡１の正面図である。なお、以下の説明では、上述した第六実施形態と異なる部分について説明し、その他の部分については第六実施形態と同じであって説明が重複するため説明を省略する。
【００９８】
第九実施形態において、鏡面体１７は、第１ミラー１１と、第１ミラーの左側に配設された第２ミラー１２と、第１ミラー１１の右側に配設された第３ミラー１３とを有する。そして、第１ミラー１１は左右方向の両端にハーフミラー部５を有する。ハーフミラー部５は、第一実施形態ないし第四実施形態のいずれかのハーフミラー部５と同様である。
【００９９】
図１２に示す照明付き鏡１では、第１ミラー１１の左右方向の両端部にそれぞれ、上下に長いハーフミラー部５が設けられ、その後方Ｂに同じく上下に長い照明部１０が設けられている。これにより、第１ミラー１１の左右方向の両端部の鏡としての機能を発揮し難いところに照明部１０が設けられるため、照明部１０より光を照射する場合でも第１ミラー１１の鏡としての機能を損なうことがない。また、照明部１０より光を照射しない場合には、ハーフミラー部５も鏡として機能して、連続した鏡として広く使用することができる。また、第２ミラー１２および第３ミラー１３はサイドミラーとして、第１ミラー１１に対して回動することができる。
【０１００】
次に、照明付き鏡の第十実施形態について、図１３に基づいて説明する。
【０１０１】
図１３は、第十実施形態の照明付き鏡１の正面図である。第十の実施形態について、鏡面体１７は、第１ミラー１１と、第１ミラーの左側に配設された第２ミラー１２と、第１ミラー１１の右側に配設された第３ミラー１３とを有する。そして、第２ミラー１２と第３ミラー１３とは第１ミラー１１側の端部（部分）にハーフミラー部５を有する。このようにサイドミラーである第２ミラー１２および第３ミラー１３に照明部１０を設けることで、照明部１０が照射している時、第１ミラー１１の鏡面を広くすることができる。
【０１０２】
次に、照明付き鏡の第十一実施形態について、図１４に基づいて説明する。
【０１０３】
図１４は、第十一実施形態の照明付き鏡１の正面図である。第十一の実施形態について、鏡面体１７は、第１ミラー１１と、第１ミラーの左側に配設された第２ミラー１２と、第１ミラー１１の右側に配設された第３ミラー１３とを有する。第２ミラー１２および第３ミラー１３は、全面がハーフミラー部５である。このような構成により、第２ミラー１２および第３ミラー１３と第１ミラー１１とは鏡面の種類が異なるが別体であるので、各ミラーにおいては異なる種類のミラーが存在することが回避されるので、鏡面の違いは目立つことなく意匠性に優れる。
【０１０４】
以上のように、本発明の照明付き鏡１は、後方からの光を透過させるハーフミラー部５を少なくとも一部に有する鏡面体１７と、鏡面体１７の前方に向けて光を照射する左右一対の照明部１０とを備える。左右一対の照明部１０は、上下方向に細長いライン状であり、ハーフミラー部５の後方に配設されていることを特徴とする。
【０１０５】
これにより、照明部１０より光を照射しないときでも、鏡でない構成が目立ち難くなり、意匠性に優れる。また、照明部１０をライン状としたことで、照明部１０を隠すハーフミラー部５もライン状とすることができ、ハーフミラー部５も目立たなくなる。
【０１０６】
また、鏡面体１７は、ハーフミラー部５と、ハーフミラー部５より透過率の低いミラー部（第１ミラー１１、または、第１ミラー１１、第２ミラー１２および第３ミラー１３）とを有する。これにより、ハーフミラー部５より透過率の低いミラー部が設けられることで、鏡としての機能性がより確保される。
【０１０７】
また、照明部１０は、横方向の長さが２０ｍｍ以下で、上下方向の長さが４００ｍｍ以上のライン形状である。
【０１０８】
また、照明部１０は、ハーフミラー部５との間に所定の間隔を設けて配設されている。これにより、照明部１０より光を照射しないときでも、ハーフミラー部５を越して照明部１０が目立ち難くなり、意匠性に優れる。
【０１０９】
また、照明部１０は、ＬＥＤの光源２０を複数有し、間隔をあけて前記複数のＬＥＤの光源２０を１列又は２列に並ばせてライン状に構成されている。
【０１１０】
また、照明部１０は、導光部材３と、導光部材３の上端又は下端に配設された光源２０と、導光部材３を収容するホルダー３４とを有する。ホルダー３４は、導光部材３を収容する面３４３が黒色又は金属光沢面で形成されている。これにより、ハーフミラー部５を透過した場合でも、照明部が目立ち難くなり、意匠性に優れる。
【０１１１】
また、照明部１０は、複数のＬＥＤの光源２０と、複数のＬＥＤの光源２０を装着した回路基板２１と、回路基板２１を収容するケース２６とを有する。ケース２６は、回路基板２１を収容する面が黒色又は金属光沢面で形成されている。これにより、ハーフミラー部５を透過した場合でも、照明部が目立ち難くなり、意匠性に優れる。
【０１１２】
また、鏡面体１７は、ハーフミラー部５を左右方向の両端に有する。
【０１１３】
また、ミラー部とハーフミラー部５とは別体であり、ハーフミラー部５は、照明部１０に取り付けられている。ミラー部とハーフミラー部５とは別体であるので、独自に制作し易い。
【０１１４】
また、鏡面体１７は全体をハーフミラー部５としたものである。このような鏡面体１７を用いることにより、鏡面体１７の中に異なる種類のミラーが存在することが回避されるので、意匠性に優れる。
【０１１５】
また、鏡面体１７は、第１ミラー１１と、第１ミラー１１の左側に配設された第２ミラー１２と、第１ミラー１１の右側に配設された第３ミラー１３とを有する。そして、ハーフミラー部５を第１ミラー１１、第２ミラー１２及び第３ミラー１３の少なくとも一つに設けたものである。これにより、前面からの外観は、３面鏡となるので、意匠性に優れる。
【０１１６】
また、鏡面体１７は、第１ミラー１１と、第１ミラー１１の左側に配設された第２ミラー１２と、第１ミラー１１の右側に配設された第３ミラー１３とを有し、ハーフミラー部５は、第１ミラー１１と第２ミラー１２との間及び第１ミラー１１と第３ミラー１３との間に配設されている。これにより、ハーフミラー部５は、２つのミラーの間という目立ち難い場所に配設されるので、意匠性に優れる。
【０１１７】
本発明の洗面化粧台は、照明付き鏡１と、照明付き鏡１の下方に配設されたカウンター６２とを備え、カウンター６２はボウル６５を有するものである。
【０１１８】
これにより、照明部１０より光を照射しないときでも、鏡でない構成が目立ち難くなり、意匠性に優れる。また、照明部１０をライン状としたことで、照明部１０を隠すハーフミラー部５もライン状とすることができ、ハーフミラー部５も目立たなくなる。
【０１１９】
以上、本発明の照明付き鏡および洗面化粧台について、第一実施形態ないし第十一実施形態に基づいて説明したが、本発明は、これらの実施形態に限定されるものではない。本発明の主旨を逸脱しない限り、当業者が思いつく各種変形を実施形態に施したものや、各実施形態における一部の構成要素を組み合わせて構築される別の形態も、本発明の範囲内に含まれる。
【符号の説明】
【０１２０】
１    照明付き鏡
３    導光部材
４    カバー
５    ハーフミラー部
６    洗面化粧台
７    ミラーキャビネット
８    扉
１０  照明部
１１  第１ミラー
１２  第２ミラー
１３  第３ミラー
１４  隙間
１７  鏡面体
１８  照明装置
２０  光源
２１  回路基板
２２  放熱板
２３  放熱部
２４  突出部
２５  放熱板カバー
２６  ケース
２７  拡散カバー
３１  突出部
３２  出光部
３３  拡散部
３４  ホルダー
３５  取付ベース
４１  前片
４２  側片
４３  突起
６０  洗面キャビネット
６１  側壁部
６２  カウンター
６３  バックガード
６４  扉
６５  ボウル
６６  吐出口
７０  キャビネット本体
７１  天壁部
７２  側壁部
７３  底壁部
７４  背壁部
７５  仕切壁部
７６  収納空間
８１、８２、８３  扉
９１  照明付き鏡本体
３４０  保持溝
３４１  保持部
３４２  取付部
３４３  面
３５１  後片
３５２  側片
３５３  突起
３５４  固着具
４１０  後面
【図１】
2016181654.tif 000003
【図２】
2016181654.tif 000004
【図３Ａ】
2016181654.tif 000005
【図３Ｂ】
2016181654.tif 000006
【図４Ａ】
2016181654.tif 000007
【図４Ｂ】
2016181654.tif 000008
【図５】
2016181654.tif 000009
【図６】
2016181654.tif 000010
【図７】
2016181654.tif 000011
【図８Ａ】
2016181654.tif 000012
【図８Ｂ】
2016181654.tif 000013
【図９Ａ】
2016181654.tif 000014
【図９Ｂ】
2016181654.tif 000015
【図１０】
2016181654.tif 000016
【図１１】
2016181654.tif 000017
【図１２】
2016181654.tif 000018
【図１３】
2016181654.tif 000019
【図１４】
2016181654.tif 000020
【国際調査報告】
2016181654.tif 000021
2016181654.tif 000022
2016181654.tif 000023
2016181654.tif 000024